(57)【要約】      （修正有）【課題】第２通常キーを使用することにより、第１通常キーによる施開錠を禁止するシリンダ錠の提供。【解決手段】第２通常キーＫ２を使用して内ピン５−１と外ピン７−１の間にある補助タンブラ８−１を内収納穴１２−１に収納すると、第１通常キーＫ１を鍵穴１に差し込んだときに外ピン７−１が内ピン穴４−１に入り込んで内筒２の回転を阻止するようになり、第１通常キーＫ１による施開錠が禁止される。また、第１通常キーＫ１を鍵穴１に挿入すると、補助タンブラ８−１が内コントロールピン１３−１により内収納穴１２−１から凹部１４に向かって押し動かされて、内収納穴１２−１から抜け出さない範囲で凹部１４に入り込み、また凹部１４に向かって押されても内収納穴１２−１から抜け出ないため、内収納穴１２−１から抜け出ない範囲で凹部１４に入り込んだ状態に保持され、内筒２の回転を阻止する。【選択図】図２２
2006316503.tif 000002
【特許請求の範囲】
【請求項１】
鍵穴を有する内筒と、この内筒を回転自在に支持する外筒と、前記内筒の外周から前記鍵穴に至らせて形成された内ピン穴に挿入される内ピンと、前記内ピン穴に対応して前記外筒の内周に形成された外ピン穴に挿入される外ピンと、その外ピンを径方向内方に付勢する付勢手段と、前記内ピンと前記外ピンの間に組み込まれた補助タンブラと、前記内ピン穴に対して周方向に間隔をおいて前記内筒の外周から前記鍵穴に至らせて形成された内収納穴に挿入される内コントロールピンとを有し、前記内ピンを押し動かして前記補助タンブラの径方向外端を前記内筒の外周に揃えた状態で内筒を回転させる第１通常キーと、前記内ピンを押し動かして前記内ピンの径方向外端を前記内筒の外周に揃えた状態で内筒を回転させる第２通常キーを使用し、その第２通常キーで回転させた前記内筒の内収納穴に前記外ピン穴内の前記補助タンブラを収納して前記第１通常キーによる内筒の回転を禁止するシリンダ錠において、前記外筒の内周に前記内収納穴に対応する凹部を形成し、前記内収納穴から前記凹部に押し動かされた前記補助タンブラを内収納穴から抜け出ない範囲で受け止めるストッパを前記凹部に設け、前記第１通常キーで前記内コントロールピンを押し動かして前記内収納穴内の前記補助タンブラを内収納穴から抜け出ない範囲で前記凹部に入り込ませるようにしたことを特徴とするシリンダ錠。
【請求項２】
前記凹部の径方向深さを前記補助タンブラの径方向長さよりも小さくし、その凹部の内面で前記ストッパを構成した請求項１に記載のシリンダ錠。
【請求項３】
前記凹部に挿入される外コントロールピンと、その外コントロールピンを径方向内方に付勢する付勢手段を設け、径方向外方に押し動かされて前記凹部の内面で受け止められた前記外コントロールピンで前記ストッパを構成した請求項１に記載のシリンダ錠。
【発明の詳細な説明】
【技術分野】
【０００１】
この発明は、第１通常キーと第２通常キーのいずれでも施開錠可能な状態から、第２通常キーを使用することにより第１通常キーによる施開錠を禁止することができるシリンダ錠に関する。
【背景技術】
【０００２】
第１通常キーと第２通常キーのいずれでも施開錠可能な状態から、第２通常キーを使用することにより第１通常キーによる施開錠を禁止することができるシリンダ錠がある。このシリンダ錠を用いると、たとえば第１通常キーの紛失・盗難があった場合に、第２通常キーを使用して第１通常キーによる施開錠を禁止し、第三者の侵入を防止することができる。
【０００３】
そのようなシリンダ錠として、図３０に示すように、内筒２１および外筒２２と、径方向に対向する内ピン２３および外ピン２４と、その間に組み込まれた補助タンブラ２５と、内ピン２３および外ピン２４に対して周方向に離れた位置で径方向に対向する内コントロールピン２６と外コントロールピン２７を有し、内コントロールピン２６が挿入された内収納穴２８に補助タンブラ２５を収納可能としたシリンダ錠が知られている（特許文献１）。
【０００４】
このシリンダ錠は、図３１に示すように第１通常キー２９を鍵穴に差し込んで補助タンブラ２５の径方向外端を内筒２１の外周に揃え、その状態で内筒２１を回転させて施開錠することができる。また、図３２に示すように第２通常キー３０を鍵穴に差し込んで内ピン２３の径方向外端を内筒２１の外周に揃え、その状態で内筒２１を回転させて施開錠することもできる。ここで、図３２の状態から内コントロールピン２６と外ピン２４が対向する位置まで内筒２１を回転させると、外筒２２側にある補助タンブラ２５が内収納穴２８に収納される。内収納穴２８に補助タンブラ２５が収納されると、図３３に示すように第１通常キー２９を鍵穴に差し込んでも外ピン２４が内筒２１側に入り込むので内筒２１を回転させることができなくなるが、第２通常キー３０では、図３４に示すように内収納穴２８に補助タンブラ２５が収納された状態でも内筒２１を回転させることができる。このように、このシリンダ錠は、第２通常キー３０を使用して補助タンブラ２５を内収納穴２８に収納することにより、第１通常キー２９による施開錠を禁止することができる。
【０００５】
しかし、このシリンダ錠は、第１通常キー２９による施開錠を禁止したときの信頼性に劣る。すなわち、第２通常キー３０を使用して内収納穴２８に補助タンブラ２５を収納しても、外ピン２４の摺動面に付着した埃などが原因で外ピン２４が外筒２２側から内筒２１側に入り込まないことがある。この場合、図３５に示すように第１通常キー２９によって内筒２１を回転させることが可能となり、第三者によって施開錠される危険が生じる。
【特許文献１】特開２００５−２６４１号公報
【発明の開示】
【発明が解決しようとする課題】
【０００６】
この発明が解決しようとする課題は、第２通常キーを使用することにより、第１通常キーによる施開錠を確実に禁止することができるシリンダ錠を提供することである。
【課題を解決するための手段】
【０００７】
この課題を解決するために、内収納穴に補助タンブラを収納した状態で第１通常キーを鍵穴に差し込んだときに、補助タンブラが内収納穴から抜け出ない範囲で外筒側に入り込んだ状態に保持されるようにし、外ピンが内筒側に入り込まなくてもその補助タンブラが内筒の回転を阻止するようにした。
【０００８】
具体的には、鍵穴を有する内筒と、この内筒を回転自在に支持する外筒と、前記内筒の外周から前記鍵穴に至らせて形成された内ピン穴に挿入される内ピンと、前記内ピン穴に対応して前記外筒の内周に形成された外ピン穴に挿入される外ピンと、その外ピンを径方向内方に付勢する付勢手段と、前記内ピンと前記外ピンの間に組み込まれた補助タンブラと、前記内ピン穴に対して周方向に間隔をおいて前記内筒の外周から前記鍵穴に至らせて形成された内収納穴に挿入される内コントロールピンとを有し、前記内ピンを押し動かして前記補助タンブラの径方向外端を前記内筒の外周に揃えた状態で内筒を回転させる第１通常キーと、前記内ピンを押し動かして前記内ピンの径方向外端を前記内筒の外周に揃えた状態で内筒を回転させる第２通常キーを使用し、その第２通常キーで回転させた前記内筒の内収納穴に前記外ピン穴内の前記補助タンブラを収納して前記第１通常キーによる内筒の回転を禁止するシリンダ錠において、前記外筒の内周に前記内収納穴に対応する凹部を形成し、前記内収納穴から前記凹部に押し動かされた前記補助タンブラを内収納穴から抜け出ない範囲で受け止めるストッパを前記凹部に設け、前記第１通常キーで前記内コントロールピンを押し動かして前記内収納穴内の前記補助タンブラを内収納穴から抜け出ない範囲で前記凹部に入り込ませる構成を採用した。
【０００９】
この構成のシリンダ錠は、内収納穴に補助タンブラを収納した状態で第１通常キーを鍵穴に差し込んだときに、補助タンブラが、内コントロールピンとストッパによって内収納穴から抜け出ない範囲で前記凹部に入り込んだ状態に保持される。
【００１０】
このストッパは、次のように構成するとより好ましい。
１）前記凹部の径方向深さを前記補助タンブラの径方向長さよりも小さくし、その凹部の内面で前記ストッパを構成する。
２）前記凹部に挿入される外コントロールピンと、その外コントロールピンを径方向内方に付勢する付勢手段を設け、径方向外方に押し動かされて前記凹部の内面で受け止められた前記外コントロールピンで前記ストッパを構成する。
【発明の効果】
【００１１】
この発明のシリンダ錠は、内収納穴に補助タンブラを収納した状態で第１通常キーを鍵穴に差し込んだときに、外ピンが内ピン穴に入り込まなくても、内収納穴から抜け出ない範囲で凹部に入り込んだ状態に保持された補助タンブラが内筒の回転を阻止する。そのため、第１通常キーによる施開錠が確実に禁止され、信頼性が高い。
【００１２】
また、前記凹部の径方向深さを補助タンブラの径方向長さよりも小さくし、その凹部の内面で補助タンブラを受け止めるようにしたものは、構造が単純なので故障しにくく、信頼性が高い。しかも安価である。
【００１３】
また、前記凹部に挿入される外コントロールピンと、その外コントロールピンを径方向内方に付勢する付勢手段を設け、径方向外方に押し動かされて前記凹部の内面で受け止められた前記外コントロールピンで補助タンブラを受け止めるようにしたものは、前記ばねの弾性力に勝る力が外コントロールピンに加わらないと内収納穴内の補助タンブラが凹部に入り込まない。そのため、第２通常キーを鍵穴に差し込んだときに補助タンブラが誤って凹部に入り込んで内筒の回転を阻止する事態を防止することができる。
【発明を実施するための最良の形態】
【００１４】
図１に、この発明のシリンダ錠の実施形態を示す。このシリンダ錠は、鍵穴１を有する内筒２と、この内筒２を回転自在に支持する外筒３とを有し、外筒３に対して内筒２を回転させて施開錠する。
【００１５】
内筒２には、図６に示すように外周から鍵穴１に至る内ピン穴４−１が形成されており、この内ピン穴４−１に内ピン５−１が挿入されている。一方、外筒３の内周には内ピン穴４−１に対応する位置に外ピン穴６−１が形成されており、この外ピン穴６−１に外ピン７−１が挿入されている。また、内ピン５−１と外ピン７−１の間には球状の補助タンブラ８−１が組み込まれており、外ピン７−１は、外ピン穴６−１に挿入されたばね９−１で径方向内方に付勢されている。そのため、内ピン５−１を径方向外方に押し動かして補助タンブラ８−１の径方向外端を内筒２の外周に揃えるか、内ピン５−１の径方向外端を内筒２の外周に揃えないと、内筒２を回転させることができない。
【００１６】
同様に、鍵穴１を挟んで反対側にも径方向に対向する内ピン１０−１と外ピン１１−１が設けられており、内ピン１０−１を径方向外方に押し動かしてその径方向外端を内筒２の外周に揃えないと内筒を回転させることができないようになっている。
【００１７】
また内筒２には、内ピン穴４−１に対して周方向に間隔をおいた位置に外周から鍵穴１に至る内収納穴１２−１が形成されている。内収納穴１２−１には内コントロールピン１３−１が挿入されており、この内コントロールピン１３−１を鍵で押し動かして内収納穴１２−１内の補助タンブラ８−１を押し動かすことができるようになっている。
【００１８】
外筒３の内周には、内筒２の内収納穴１２−１に対応する位置に凹部１４が形成されている。凹部１４は、径方向深さが補助タンブラ８−１の径方向長さよりも小さくなるように形成されており、凹部１４の内面が、内収納穴１２−１から凹部１４に押し動かされた補助タンブラ８−１を内収納穴１２−１から抜け出ない範囲で受け止めるようになっている。
【００１９】
以上に述べた内ピン穴４−１、内ピン５−１、外ピン穴６−１、外ピン７−１、補助タンブラ８−１、ばね９−１、内ピン１０−１、外ピン１１−１、内収納穴１２−１、内コントロールピン１３−１と同様の内ピン穴４−２…４−６、内ピン５−２…５−６、外ピン穴６−２…６−６、外ピン７−２…７−６、補助タンブラ８−２…８−６、ばね９−２…９−６、内ピン１０−２…１０−６、外ピン１１−２…１１−６、内収納穴１２−２…１２−６、内コントロールピン１３−２…１３−６が、それぞれ軸方向に間隔をおいて設けられている。一方、凹部１４は、軸方向に連続する溝をなしており、内筒２の内収納穴１２−１に対応する位置から内収納穴１２−６に対応する位置に至っている。
【００２０】
このシリンダ錠は、たとえば次に示すように第１通常キーＫ１を用いて施開錠することができ、また第２通常キーＫ２を用いて第１通常キーＫ１による施開錠を禁止することができる。ここで第１通常キーＫ１は、内ピン５−１を押し動かして補助タンブラ８−１の径方向外端を内筒２の外周に揃えた状態で内筒２を回転させる鍵であり、第２通常キーＫ２は、内ピン５−１を押し動かしてその径方向外端を内筒２の外周に揃えた状態で内筒２を回転させる鍵である。
【００２１】
まず、第１通常キーＫ１による施開錠の操作例を説明する。
【００２２】
すべての補助タンブラ８−１…８−６が内ピン５−１…５−６と外ピン７−１…７−６の間にある状態で（図１、図６参照）、鍵穴１に第１通常キーＫ１を差し込む。鍵穴１に差し込まれた第１通常キーＫ１は、内ピン５−１…５−６を押し動かして補助タンブラ８−１…８−６の径方向外端を内筒２の外周に揃えるとともに、内ピン１０−１…１０−６を押し動かしてその径方向外端を内筒２の外周に揃え、内筒２を回転可能な状態にする（図２、図７参照）。
【００２３】
その状態で内筒２を回転させて施開錠する。このとき、補助タンブラ８−１…８−６はそれぞれ内ピン穴４−１…４−６内にあり、外ピン穴６−１…６−６内にない。そのため、内収納穴１２−１…１２−６の位置と外ピン穴６−１…６−６の位置が一致しても（図３、図８参照）、内収納穴１２−１…１２−６への補助タンブラ８−１…８−６の収納が生じない。
【００２４】
つづいて、内ピン５−１…５−６と外ピン７−１…７−６が対向する位置に内筒２を戻す（図４、図９参照）。これにより内ピン穴４−１…４−６内の補助タンブラ８−１…８−６は、内ピン５−１…５−６と外ピン７−１…７−６の間に戻る。さらに、第１通常キーＫ１を鍵穴１から引き抜くと、シリンダ錠は元の状態になる（図５、図１０参照）。
【００２５】
このように、このシリンダ錠は第１通常キーＫ１による施開錠を行なったときに、いずれの内収納穴１２−１…１２−６にも補助タンブラ８−１…８−６が収納されず、元の状態を維持する。
【００２６】
つぎに、第２通常キーＫ２を用いて、第１通常キーＫ１による施開錠を禁止する操作例を説明する。
【００２７】
すべての補助タンブラ８−１…８−６が内ピン５−１…５−６と外ピン７−１…７−６の間にある状態で（図１１、図１６参照）、鍵穴１に第２通常キーＫ２を差し込む（図１２、図１７参照）。鍵穴１に差し込まれた第２通常キーＫ２は、内ピン５−１…５−６を押し動かして内ピン５−１の径方向外端と補助タンブラ８−２…８−６の径方向外端をそれぞれ内筒２の外周に揃えるとともに、内ピン１０−１…１０−６を押し動かしてその径方向外端を内筒２の外周に揃え、内筒２を回転可能な状態にする。また、内コントロールピン１３−１を押し動かして、内収納穴１２−１を補助タンブラ８−１の収納が可能な状態にする（図１７参照）。
【００２８】
その状態で内筒２を回転させて外ピン穴６−１…６−６の位置と内収納穴１２−１…１２−６の位置を一致させる（図１３、図１８参照）。外ピン穴６−１…６−６の位置と内収納穴１２−１…１２−６の位置が一致すると、外ピン穴６−１内の補助タンブラ８−１が外ピン７−１により押し動かされて内収納穴１２−１に収納される（図１８参照）。
【００２９】
つづいて、内ピン５−１…５−６と外ピン７−１…７−６が対向する位置に内筒２を戻す（図１４、図１９参照）。これにより、内ピン穴４−２…４−６内の補助タンブラ８−２…８−６は内ピン５−２…５−６と外ピン７−２…７−６の間に戻るが、内収納穴１２−１に収納された補助タンブラ８−１は、外筒３の凹部１４の位置に移動する（図１９参照）。さらに、第２通常キーＫ２を鍵穴１から引き抜くと、補助タンブラ８−１が内収納穴１２−１内に、他の補助タンブラ８−２…８−６が内ピン５−２…５−６と外ピン７−２…７−６の間にある状態になる（図１５、図２０参照）。
【００３０】
このように、第２通常キーＫ２を使用して内ピン５−１と外ピン７−１の間にある補助タンブラ８−１を内収納穴１２−１に収納すると、図２１、図２２に示すように、第１通常キーＫ１を鍵穴１に差し込んだときに外ピン７−１が内ピン穴４−１に入り込んで内筒２の回転を阻止するようになり、第１通常キーＫ１による施開錠が禁止される。
【００３１】
また、第１通常キーＫ１を鍵穴１に差し込んだときに、図２３に示すように外ピン７−１が内ピン穴４−１に入り込まない事態が生じても、施開錠することはできない。すなわち、第１通常キーＫ１を鍵穴１に挿入すると、図２４に示すように補助タンブラ８−１が内コントロールピン１３−１により内収納穴１２−１から凹部１４に向かって押し動かされて、内収納穴１２−１から抜け出さない範囲で凹部１４に入り込む。また補助タンブラ８−１は、内収納穴１２−１から凹部１４に向かって押し動かされても内収納穴１２−１から抜け出ない範囲で凹部１４の内面に受け止られる。そのため、補助タンブラ８−１は、内収納穴１２−１から抜け出ない範囲で凹部１４に入り込んだ状態に保持され、図２５に示すように内筒２の回転を阻止する。
【００３２】
このように、このシリンダ錠は、第２通常キーＫ２により補助タンブラ８−１が内収納穴１２−１に収納された状態になると、第１通常キーＫ１を鍵穴１に差し込んだときに外ピン７−１だけでなく補助タンブラ８−１もが内筒２の回転を阻止する。そのため、第２通常キーＫ２を用いて第１通常キーＫ１による施開錠を禁止したときの信頼性が高い。
【００３３】
また、外筒３に形成された凹部１４の内面で補助タンブラ８−１を受け止めるようにしたので、動作する部分が少なく、構造が単純である。そのため、故障しにくく、信頼性が高い。また安価である。
【００３４】
さらに、このシリンダ錠は、新たな通常キーを用いて内収納穴１２−１…１２−６に収納される補助タンブラの個数を増やすことにより、使用する通常キーを何度も変更することができる。たとえば、補助タンブラ８−１が内収納穴１２−１に収納された状態で、第３通常キーＫ３を用いてさらに補助タンブラ８−２を内収納穴１２−２に収納し、第２通常キーＫ２による施開錠を禁止することができる。同様に、補助タンブラ８−１と８−２が内収納穴１２−１と１２−２にそれぞれ収納された状態で、第４通常キーＫ４を用いてさらに補助タンブラ８−３を内収納穴１２−３に収納し、第３通常キーＫ３による施開錠を禁止することもできる。そのため、通常キーの紛失・盗難があった場合や、マンションの部屋の住人の入れ替わりがあった場合にも、そのたびに通常キーを変更して安全性を確保することができる。
【００３５】
上記実施形態では、図２６に示すように軸方向に連続する溝で凹部１４を形成して外筒３の製作を容易化しているが、たとえば図２７に示すように、外筒３の内周に、内筒２の各内収納穴１２−１…１２−６に対応する位置にテーパ状の凹部１４−１…１４−６をそれぞれ形成してもよい。要は、径方向深さが補助タンブラ８−１…８−６の径方向長さよりも小さい凹部を外筒３の内周に形成して、その凹部の内面が、内収納穴１２−１…１２−６から凹部に向かって押し動かされた補助タンブラ８−１…８−６を内収納穴１２−１…１２−６から抜け出ない範囲で受け止めるようにすればよい。
【００３６】
また、上記実施形態の凹部１４に替えて、図２８に示すように凹部１５−１に挿入される外コントロールピン１６−１と、その外コントロールピン１６−１を径方向内方に付勢するばね１７−１を設け、その外コントロールピン１６−１の径方向内端面で補助タンブラ８−１を受け止めるようにしてもよい。すなわち、図２９に示すように、径方向外方に押し動かされて凹部１５−１の内面で受け止められた外コントロールピン１６−１で補助タンブラ８−１を受け止めて、補助タンブラ８−１を内収納穴１２−１から抜け出ないようにしてもよい。このようにすると、ばね１７−１の弾性力に勝る力が外コントロールピン１６−１に加わらない限り、内収納穴１２−１内の補助タンブラ８−１が凹部１５−１に入り込まない。そのため、第２通常キーＫ２を鍵穴１に差し込んだときに補助タンブラ８−１が誤って凹部１５−１に入り込んで内筒２の回転を阻止する事態を防止することができる。同様の凹部１５−２…１５−６、外コントロールピン１６−２…１６−６、ばね１７−２…１７−６を、内筒２の各内収納穴１２−２…１２−６に対応する位置にそれぞれ設けてもよい。
【００３７】
補助タンブラ８−１…８−６は、球状とするとその動作が円滑となるので好ましいが、たとえば円柱状など他の形状にしてもよい。
【００３８】
第１通常キーＫ１で施錠または開錠するときの内筒２の回転方向は、第２通常キーＫ２を用いて第１通常キーＫ１による施開錠を禁止するときの内筒２の回転方向と同一方向でもよく、また反対方向でもよい。要は、内筒２の回転により施錠と開錠がなされればよい。
【００３９】
図では、内収納穴１２−１…１２−６を、内筒２を時計回りに９０度回転させたときに外ピン穴６−１…６−６と一致するように配置したが、反時計回りに９０度回転させたときに一致するように配置してもよく、また、他の回転角度で一致するように配置してもよい。
【００４０】
外ピン７−１…７−６の付勢は、ばね９−１…９−６を用いて行なうとピン動作の信頼性が高くなって好ましいが、たとえば磁石同士の反発力を用いて付勢してもよい。
【００４１】
この発明は、平板状の鍵で施開錠するシリンダ錠以外のシリンダ錠に適用してもよく、たとえば、内ピン５−１…５−６がはまり込むディンプルを表面に形成した円柱状の鍵や角柱状の鍵など他の形状の鍵で施開錠するシリンダ錠に適用してもよい。
【００４２】
なお、図では、内ピン５−１…５−６の長さを互いに同一としているが、内ピン５−１…５−６は、内ピン１０−１…１０−６と同様に数種類の長さのものを組み合わせると、鍵違い数が増えて安全性がより高くなる。
【００４３】
このシリンダ錠は、内筒２の回転によりドア等の開閉を禁止し、またその解除を行なう錠前機構に組み込むことができ、たとえば内筒２の回転によりドアの戸先側の端面からラッチボルトを出入りさせ、そのラッチボルトとドア枠の係合によりドアの開閉を禁止する機構に組み込むことができる。
【図面の簡単な説明】
【００４４】
【図１】この発明の実施形態のシリンダ錠を示す平面視断面図
【図２】図１のシリンダ錠の鍵穴に第１通常キーを差し込んだ状態を示す図
【図３】図２のシリンダ錠の内筒を回転させた状態を示す図
【図４】図３のシリンダ錠の内筒を元の位置に戻した状態を示す図
【図５】図４のシリンダ錠の鍵穴から第１通常キーを抜き取った状態を示す図
【図６】図１のＡ−Ａ線に沿った断面図
【図７】図２のＢ−Ｂ線に沿った断面図
【図８】図３のＣ−Ｃ線に沿った断面図
【図９】図４のＤ−Ｄ線に沿った断面図
【図１０】図５のＥ−Ｅ線に沿った断面図
【図１１】補助タンブラが内ピンと外ピンの間にある状態の図１のシリンダ錠を示す図
【図１２】図１１のシリンダ錠の鍵穴に第２通常キーを差し込んだ状態を示す図
【図１３】図１２のシリンダ錠の内筒を回転させた状態を示す図
【図１４】図１３のシリンダ錠の内筒を元の位置に戻した状態を示す図
【図１５】図１４のシリンダ錠の鍵穴から第２通常キーを抜き取った状態を示す図
【図１６】図１１のＦ−Ｆ線に沿った断面図
【図１７】図１２のＧ−Ｇ線に沿った断面図
【図１８】図１３のＨ−Ｈ線に沿った断面図
【図１９】図１４のＩ−Ｉ線に沿った断面図
【図２０】図１５のＪ−Ｊ線に沿った断面図
【図２１】図１５のシリンダ錠の鍵穴に第１通常キーを差し込んだ状態を示す図
【図２２】図２１のＬ−Ｌ線に沿った断面図
【図２３】図２１のシリンダ錠の外ピンが内ピン穴に入り込まなかった状態を示す図
【図２４】図２３のＭ−Ｍ線に沿った断面図
【図２５】図２３のシリンダ錠の補助タンブラが内筒の回転を阻止する状態を示す図
【図２６】図２４のＮ−Ｎ線に沿った断面図
【図２７】図１のシリンダ錠の変形例を示す断面図
【図２８】図１のシリンダ錠の他の変形例を示す断面図
【図２９】図２８のシリンダ錠の鍵穴に第１通常キーを差し込んだ状態を示す図
【図３０】従来のシリンダ錠を示す断面図
【図３１】図３０のシリンダ錠の鍵穴に第１通常キーを差し込んだ状態を示す図
【図３２】図３０のシリンダ錠の鍵穴に第２通常キーを差し込んだ状態を示す図
【図３３】図３０のシリンダ錠の補助タンブラを内収納穴に収納し、その補助タンブラの鍵穴に第１通常キーを差し込んだ状態を示す図
【図３４】図３０のシリンダ錠の補助タンブラを内収納穴に収納し、その補助タンブラの鍵穴に第２通常キーを差し込んだ状態を示す図
【図３５】図３３のシリンダ錠の外ピンが内筒側に入り込まなかった状態を示す図
【符号の説明】
【００４５】
１      鍵穴
２      内筒
３      外筒
４−１…４−６      内ピン穴
５−１…５−６      内ピン
６−１…６−６      外ピン穴
７−１…７−６      外ピン
８−１…８−６      補助タンブラ
９−１…９−６      ばね
１２−１…１２−６  内収納穴
１３−１…１３−６  内コントロールピン
１４              凹部
１４−１…１４−６  凹部
１５−１…１５−６  凹部
１６−１…１６−６  外コントロールピン
１７−１…１７−６  ばね
【図１】
2006316503.tif 000003
【図２】
2006316503.tif 000004
【図３】
2006316503.tif 000005
【図４】
2006316503.tif 000006
【図５】
2006316503.tif 000007
【図６】
2006316503.tif 000008
【図７】
2006316503.tif 000009
【図８】
2006316503.tif 000010
【図９】
2006316503.tif 000011
【図１０】
2006316503.tif 000012
【図１１】
2006316503.tif 000013
【図１２】
2006316503.tif 000014
【図１３】
2006316503.tif 000015
【図１４】
2006316503.tif 000016
【図１５】
2006316503.tif 000017
【図１６】
2006316503.tif 000018
【図１７】
2006316503.tif 000019
【図１８】
2006316503.tif 000020
【図１９】
2006316503.tif 000021
【図２０】
2006316503.tif 000022
【図２１】
2006316503.tif 000023
【図２２】
2006316503.tif 000024
【図２３】
2006316503.tif 000025
【図２４】
2006316503.tif 000026
【図２５】
2006316503.tif 000027
【図２６】
2006316503.tif 000028
【図２７】
2006316503.tif 000029
【図２８】
2006316503.tif 000030
【図２９】
2006316503.tif 000031
【図３０】
2006316503.tif 000032
【図３１】
2006316503.tif 000033
【図３２】
2006316503.tif 000034
【図３３】
2006316503.tif 000035
【図３４】
2006316503.tif 000036
【図３５】
2006316503.tif 000037